(57)【特許請求の範囲】
【請求項１】
可動接点を所定の軸線方向にストロークさせて固定接点と接触させるプッシュスイッチであって、
前記可動接点を備えて前記軸線に沿ってストロークする可動接点盤と、
前記軸線上においてストロークし前記可動接点盤と当接可能なムービングブロックと、
前記可動接点盤とムービングブロックを互いに当接する方向に付勢する付勢手段と、
前記可動接点が固定接点と接触する所定位置で前記可動接点盤のストロークを阻止するストッパと、
前記可動接点盤とムービングブロックの少なくも一方に設けられて、互いの当接状態において前記可動接点盤を前記軸線に関して傾斜状態に保持する傾斜手段と、
前記ストッパによりストロークを阻止されたあと、前記可動接点盤を前記ムービングブロックのストロークによる離間に応じて前記傾斜状態から姿勢変化させる姿勢変化手段とを有することを特徴とするプッシュスイッチ。
【請求項２】
固定側に対してストローク可能で前記ムービングブロックに当接するプッシュロッドと、
該プッシュロッドに前記ムービングブロックを押し付ける第１スプリングとを備えることを特徴とする請求項１に記載のプッシュスイッチ。
【請求項３】
前記付勢手段は、前記可動接点盤と固定側との間に設けられて前記可動接点盤を前記ムービングブロックに押し付ける第２スプリングであることを特徴とする請求項２に記載のプッシュスイッチ。
【請求項４】
前記プッシュロッドと、前記ムービングブロックと、前記可動接点盤とが当該順番で軸線方向に並び、
前記第１スプリングと第２スプリングとが前記ムービングブロックと前記可動接点盤とを同方向に付勢していることを特徴とする請求項３に記載のプッシュスイッチ。
【請求項５】
前記傾斜手段が、前記ムービングブロックの前記可動接点盤との対向部に設けられた傾斜面であることを特徴とする請求項１から４のいずれか１に記載のプッシュスイッチ。
【請求項６】
前記姿勢変化手段が、前記ストッパにおける前記可動接点盤の前記ムービングブロックとの対向面に当接し前記傾斜手段による傾斜とは異なる角度に延びる端縁であることを特徴とする請求項１から５のいずれか１に記載のプッシュスイッチ。
【請求項７】
前記可動接点、固定接点およびストッパが、それぞれ前記軸線を挟んで両側に配置してあることを特徴とする請求項１から６のいずれか１に記載のプッシュスイッチ。
【請求項８】
前記可動接点盤が、前記ムービングブロックとの当接面を有するベースと、該ベースに取り付けられて前記固定接点に対応する方向に延びる弾性金属製の可動接点板を有して、
該可動接点板に前記可動接点が設けてあることを特徴とする請求項１から７のいずれか１に記載のプッシュスイッチ。
【請求項９】
前記可動接点盤はさらに押さえ部材を有して、前記可動接点板に初期撓みを与えていることを特徴とする請求項８に記載のプッシュスイッチ。
【発明の詳細な説明】
【技術分野】
【０００１】
本発明は、固定側接点に対して離間配置した可動側接点を対向線上でストロークさせて互いに接触させることにより電気回路を閉じるように構成したプッシュスイッチに関する。
【背景技術】
【０００２】
従来のこの種プッシュスイッチとして、たとえば特開２０００−６２５２８号公報に開示されたものがある。このプッシュスイッチは、車両のブレーキペダルに付設のブレーキスイッチとして、取り付け状態でケーシング内に押し込まれたプッシュロッドが可動接点を固定接点から離間させており、ブレーキペダルを踏むと、プッシュロッドがケーシング外方向へ移動可能となり、接圧ばねに付勢された可動接点がストロークして固定接点に接触するようになっている。
ところで、プッシュスイッチの操作時には各接点の対向面同士が垂直に接近、離反するが、この可動側接点と固定側接点の対向面間には作動に伴う磨耗粉が介在したり、接点間にアークが飛んで、炭化物や酸化物が堆積して絶縁膜を形成することが多く、この場合には、いわゆる接触不良を呈して動作不安定となる。
【０００３】
そこで、上記従来のプッシュスイッチでは、接触片を中央の平板状部分から固定接点に近づく方向に斜めに延びた一対の片持ち形状に形成し、その先端に可動接点を設けて一対の固定接点に対向させ、当該固定接点方向に接圧ばねで付勢しており、接触時には可動接点を固定接点に所定の圧力で弾接させるように構成している。
そして、上記接点同士が弾接する際に、接触片の片持ち形状部分が接圧ばねの付勢力により撓んで、可動接点が固定接点上で外方へ微少距離だけ摺動する。これにより接点同士の接触面のワイピングを行い、磨耗粉や炭化物、酸化物などの異物を除去するようになっている。
【先行技術文献】
【特許文献】
【０００４】
【特許文献１】特開２０００−６２５２８号公報
【発明の概要】
【発明が解決しようとする課題】
【０００５】
しかしながら、上記従来のプッシュスイッチでは、接点弾接前は接触片の片持ち形状部分が自由状態であるため、接点間の接圧は初期値０（ゼロ）から開始せざるを得ず、接点接触時のふらつきにより相変わらずアークの飛ぶのが避けられない。また、可動接点の変位は片持ち形状部分の撓みによるもののみであって摺動量が小さいので、効果的なワイピングには不十分である。
【０００６】
したがって本発明は、上記従来の問題点にかんがみ、可動接点と固定接点間にワイピングが有効に行われるプッシュスイッチを提供することを目的とする。
【課題を解決するための手段】
【０００７】
このため、本発明は、可動接点を所定の軸線方向にストロークさせて固定接点と接触させるプッシュスイッチであって、
上記可動接点を備えて軸線に沿ってストロークする可動接点盤と、
軸線上においてストロークし可動接点盤と当接可能なムービングブロックと、
可動接点盤とムービングブロックを互いに当接する方向に付勢する付勢手段と、
可動接点が固定接点と接触する所定位置で可動接点盤のストロークを阻止するストッパと、
可動接点盤とムービングブロックの少なくも一方に設けられて、互いの当接状態において可動接点盤を軸線に関して傾斜状態に保持する傾斜手段と、
ストッパによりストロークを阻止されたあと、可動接点盤をムービングブロックのストロークによる離間に応じて傾斜状態から姿勢変化させる姿勢変化手段とを有するものとした。
【発明の効果】
【０００８】
本発明によれば、固定接点と可動接点が接触している期間に、可動接点を支持している可動接点盤の姿勢が変化するので、両接点間に従来の可動接点を支持するばね部材の単純な撓みによるものに比べより大きな摺動変位が発生して、格段のワイピング作用が得られる。
【図面の簡単な説明】
【０００９】
【図１】本発明の実施の形態を示す断面図である。
【図２】第１ケースを嵌め合い部側から見た斜視図である。
【図３】可動接点盤の斜視図である。
【図４】ムービングブロックの斜視図である。
【図５】接点収容室内の部材配置を軸方向から見た図である。
【図６】初期状態におけるムービングブロックと可動接点盤の当接状態を示す断面図である。
【図７】可動接点盤ベースとストッパとの関係を示す図である。
【図８】実施の形態の作動を示す説明図である。
【発明を実施するための形態】
【００１０】
以下、本発明の実施の形態について説明する。
図１は実施の形態を示す断面図である。図１は、とくにブレーキペダルに適用した場合における、ブレーキ解除状態のブレーキペダル側部材によってプッシュロッドがケーシング内に押し込まれた初期状態を示している。
プッシュスイッチ１は、プッシュロッド２を保持するほか、可動接点板５０を保持する可動接点盤４０、ムービングブロック６０、固定接点板３１をケーシング１０内に収納して構成される。
ケーシング１０は第１ケース１１と第２ケース２４からなり、第１ケース１１は金属製又は樹脂製で主としてプッシュロッド２を収容し、第２ケース２４は樹脂製で可動接点盤４０と固定接点板３１を収容するとともに、コネクタ部を形成している。
なお、以下では便宜上、第１ケース１１側を上方、第２ケース２４側を下方として説明する。
【００１１】
プッシュロッド２は、先端を第１ケース１１の上端から外部へ突出可能とされる丸軸状の操作部３とその根元（ケーシング１０内側）に同軸に形成されて操作部３よりも大径のつば部４とからなる。つば部４の下端面には緩球面の突部５を設けてある。
なお、このプッシュスイッチ１は、ケーシング１０に押し込まれたプッシュロッド２を突出させることによりＯＮするタイプのスイッチである。
【００１２】
第１ケース１１は、第２ケース２４に被さる嵌め合い部１２の上壁１４から筒部１３を突出させた外観を有し、筒部１３の外周には取付けナット用のねじを形成してある。
嵌め合い部１２は断面が略四角形で、対向する側壁１５ａ、１５ｂには第２ケース２４に設けられた爪３０と係合する係合穴１６を設けてある。また、嵌め合い部１２の上壁１４には段部２１が形成してある。
筒部１３内には、先端に開口してプッシュロッド２の操作部３をガイドする第１穴１７と、第１穴１７に連通してつば部４を収容する第２穴１８とが形成され、嵌め合い部１２に連通している。操作部３はつば部４が第１穴１７と第２穴１８の段差部に当接するまで筒部１３から突出可能である。
【００１３】
図２に示すように、嵌め合い部１２の上壁１４には第２穴１８の開口を挟んで２枚の所定長さのリブ状のストッパ２０が軸方向下方に延びている。ストッパ２０は第２穴１８の直径線上に位置して、後述する円盤部４２の外周上面４６に対向するように設定してある。ストッパ２０の並び方向は後述の接点収容室Ｒｓにおける固定接点３３の並びと平行に設定されている。
なお、以下では第１穴１７、第２穴１８をスライドするプッシュロッド２の中心線を軸線（または軸心）Ｓと呼び、位置関係を説明する際の参照基準とする。
【００１４】
図１に戻って、第２ケース２４は、第１ケース１１側に開口する接点収容室Ｒｓと、第１ケース１１とは反対側に開口するコネクタ部としてのレセプト凹部Ｒｒを備えている。
接点収容室Ｒｓは横断面が四角形で、側壁２５ａ、２５ｂには前述の爪３０が設けてある。
接点収容室Ｒｓの底壁２６には、プッシュロッド２の軸線Ｓ上に相当する中心に後述する第１コイルスプリング７の一端（下端）を受ける突起状のスプリング受け２７が設けられるとともに、第２コイルスプリング８の一端（下端）を受けるリング溝状のスプリング受け２８がスプリング受け２７と同心に設けられている。
【００１５】
底壁２６にはさらに、固定接点板３１がモールドされている。固定接点板３１の一端はレセプト凹部Ｒｒへ延び、その先端はコネクタ端子３２となっており、他端は分岐して接点収容室Ｒｓの側壁２５ｃ内を上端近傍まで延びたあと、互いに接近方向に曲がり、プッシュロッド２の軸線Ｓを挟んだ両側において面が軸線Ｓに対して垂直な固定接点３３として接点収容室Ｒｓ内に露出する。図１には片側の固定接点３３のみを示し、途中経路は省略している。
【００１６】
底壁２６にはまた、通電板３５がモールドされ、その一端はレセプト凹部Ｒｒへ延びてコネクタ端子３６となっており、他端は接点収容室Ｒｓの側壁２５ａの内面沿いに接点収容室Ｒｓの軸方向中間位置まで延びて、後述する可動接点盤４０の舌片５３と接触する舌片接触部３７となっている。
舌片接触部３７と舌片５３の接触範囲を確保するため、底壁２６には舌片接触部３７の内側面（軸心Ｓ側）に沿って掘り下げた凹部２９が形成され、凹部２９内まで舌片接触部３７の内側面を露出させている。
【００１７】
舌片接触部３７は底壁２６から軸線Ｓと平行に立ち上がった下平行部３７ａと、これに続く傾斜部３７ｂを経て外方へオフセットし再び軸線Ｓと平行になっている上平行部３７ｃとを有している。
なお、第１ケース１１と第２ケース２４との軸方向位置決めは、第１ケース１１の係合穴１６と第２ケース２４の爪３０の係合、および第１ケース１１の段部２１と第２ケース２４の側壁２５ｃの当接により行われる。
【００１８】
接点収容室Ｒｓ内では、中心に貫通穴４４を備える可動接点盤４０が第２コイルスプリング８の他端（上端）に支持されて上方へ付勢され、ムービングブロック６０が可動接点盤４０の貫通穴４４を貫通する第１コイルスプリング７の他端（上端）に支持されて上方へ付勢されている。
プッシュロッド２はその初期状態において、操作部３の先端がケーシング１０の筒部１３の先端と一致する位置にあって、つば部４の突部５がムービングブロック６０を押し下げ、これにより、上方へ付勢されている可動接点盤４０はムービングブロック６０に当接している。
【００１９】
図３は可動接点盤４０の斜視図である。
可動接点盤４０は、ベース４１と、可動接点板５０と、押さえ部材５７とからなる組立体である。
ベース４１は樹脂または金属製で、円盤部４２を主体とし、その一部を外方に拡大して形成した可動接点板支持部４３を備える。
円盤部４２は中心に貫通穴４４を有し、貫通穴４４の穴縁からは下方に筒部４５（後掲の図６参照）がフランジ状に突出している。円盤部４２の下面は筒部４５で位置決めした第２コイルスプリング８の上端を受けるスプリング受けとなる。
円盤部４２の外周上面４６は貫通穴４４の中心に関し径方向所定幅の平滑な平面をなし、円盤部４２の外周上面４６から筒部４５へ移る角部は滑らかな円弧曲面となっている。円盤部４２に連なる可動接点板支持部４３の上面も同一平面上にある。
【００２０】
可動接点板支持部４３の外形は円盤部４２の直径線を２分線としてこれに直角な両方向に延びた長方形で、円盤部４２側の辺は仮想的に貫通穴４４の穴縁近傍を通る。可動接点板支持部４３の長手方向両端部には、可動接点板５０取付けのための丸突起４７（図１、図６参照）が形成してある。
【００２１】
可動接点板５０は、可動接点板支持部４３の長手方向と同長の基部５１の両端から２本の脚部５２が延びた基本形がコ字形の弾性金属板から成形される。基部５１の２本の脚部５２の間からはさらに脚部５２と比較して小サイズの複数（ここでは３本）の舌片５３が平行に延びている。
舌片５３は根元から下方斜めに曲げられ、可動接点板５０はこの舌片５３が外方に向かうようにベース４１に取り付けられる。
脚部５２はその外側辺が基部５１の長手方向に対して垂直であるが、基部５１側の根元が広幅で、先端が細幅となっている。
脚部５２は根元で円盤部４２側へ折り返されて、外側辺を基部５１の長手方向に対して垂直に保持しながら基部５１の上方を斜め上方に延びるように設定してあり、先端には上面となる側に可動接点５５を備えている。
【００２２】
なお、基部５１の中間部は、円盤部４２の上述した外周上面４６を露出させるため、２分線の両側にわたる所定範囲を円盤部４２側から切り欠いて細幅となっている。円盤部４２の外周上面４６の露出部分はムービングブロック６０との当接部となる。
基部５１の両端部には可動接点板支持部４３の丸突起４７に対応する丸穴５６が設けられており、丸穴５６を丸突起４７に押し込むことにより可動接点板５０がベース４１に対して位置決めされる。
【００２３】
可動接点板支持部４３の中間部には、押さえ部材５７が取り付けられている。押さえ部材５７は、取付け基部５８と、取付け基部５８から可動接点板支持部４３の長手方向両側に延びるとともに可動接点板５０の脚部５２の折り返し部よりも高い位置までオフセットされた後、円盤部４２側へ互いに平行に、かつベース４１の上面と平行に延びるアーム部５９とからなる。
ベース４１、可動接点板５０および押さえ部材５７は、それぞれ可動接点板支持部４３、基部５１および取付け基部５８に形成された互いに整合する不図示のリベット穴を通して、リベット４８により一体に結合されている。
【００２４】
アーム部５９の先端は、円盤部４２の中心を通り可動接点板支持部４３の長手方向と平行な直線よりも手前で終わっており、可動接点板５０の折り返し部から斜め上方に延びる脚部５２を押さえて、当該脚部５２を円盤部４２の上面と平行に近い姿勢に保持している。この状態でアーム部５９の先端は脚部５２の可動接点５５よりも手前の部位に当接している。
【００２５】
図４はムービングブロック６０を示し、（Ａ）は上方からの斜視図、（Ｂ）は下方からの斜視図である。
ムービングブロック６０は樹脂または金属製で、可動接点盤４０と当接可能な接点盤連係部６１と、接点盤連係部６１とつながったガイド部６２とからなる。
ガイド部６２は可動接点板支持部４３と同程度の長さを有し、その両端部に軸線Ｓと平行に下方へ延びてムービングブロック６０を上下方向にガタなくガイドするレール６３を備えている。接点盤連係部６１はガイド部６２の中間位置から延びる形態となっている。
【００２６】
接点盤連係部６１は、ガイド部６２のレール６３に挟まれた中間と同じ厚さのブロックベース６５と、ブロックベース６５から下方に延びる突出軸部６６とからなる。ブロックベース６５のガイド部６２から遠い先端部は軸心Ｓを中心として円盤部４２の外周上面４６と重なる外径の円筒面６７をなしているが、ガイド部６２に連なる側壁はガイド部６２に対して垂直の面で切り落とされて２面幅形状を呈する平面部６８となっている。この側壁の切り落としは第１ケース１１のストッパ２０の通過スペースを確保するためである。
接点盤連係部６１（ブロックベース６５）とガイド部６２の上面は面一で、軸線Ｓに垂直な平滑な平面となっている。
【００２７】
突出軸部６６はブロックベース６５の平面部６８間の距離（２面幅）と同等の径を有し、この径は可動接点盤４０の貫通穴４４よりわずかに小さい。突出軸部６６の下端面には凹部が開口して第１コイルスプリング７の上端を受けるスプリング受け６９（図６参照）となっている。
突出軸部６６のブロックベース６５につながる上部にはガイド部６２から遠い側と近い側とにそれぞれ張り出し部７０、７１が設けられている。
【００２８】
ガイド部６２から遠い側の張り出し部７０はブロックベース６５の円筒面６７と面一につながって、円筒面６７と同一外径を有し、周方向は当該円筒面６７とほぼ同じ長さとなっている。
ガイド部６２に近い側の張り出し部７１は軸心Ｓを挟んで遠い側の張り出し部７０と対称位置に、遠い側の張り出し部７０と同一外径および同一周方向長さをもってブロックベース６５の下面から膨出した形態となっている。
ここで、両張り出し部７１、７０の下端面は、ガイド部６２側で高く、ガイド部６２から離れるほど低くなるように傾斜した共通の一平面（傾斜面）上にあるように設定してある。
なお、突出軸部６６における張り出し部７０、７１間の周壁はわずかに削られて小径となっている。
【００２９】
図５は、接点収容室Ｒｓ内に配置した可動接点盤４０とムービングブロック６０を軸方向から見た図に、第１ケース１１のストッパ２０を重ねて示したものである。
ケーシング２の接点収容室Ｒｓには、可動接点盤４０のベース４１における可動接点板支持部４３とムービングブロック６０のガイド部６２とが軸心（Ｓ）を挟んで対向するように配置され、ムービングブロック６０はそのレール６３が接点収容室Ｒｓに形成されたガイド溝にそってスライドすることにより、軸線Ｓと平行に上下移動可能となっている。
ストッパ２０は、ムービングブロック６０の平面部６８に沿ったスペースを通過して、可動接点盤４０の円盤部４２の外周上面４６に対向している。
【００３０】
前述のように、プッシュロッド２の突部５がムービングブロック６０の上面に当接する。（図１参照）
初期状態では、ムービングブロック６０がプッシュロッド２で押さえられるとともに、可動接点盤４０が第２コイルスプリング８で上方に付勢されているので、図６に示すように、ムービングブロック６０の突出軸部６６の先端が可動接点盤４０における円盤部４２の貫通穴４４に進入する一方、円盤部４２の外周上面４６が突出軸部６６の張り出し部７０、７１に当接している。張り出し部７０、７１の下端面が傾斜しているので、可動接点盤４０はムービングブロック６０に対して傾斜状態、したがって軸線Ｓに対しても傾斜状態となっている。
【００３１】
図７は、可動接点盤４０のとくにベース４１とストッパ２０との関係を示す。簡単化のため、ベース４１は外観を実線で示し、可動接点板５０、押さえ部材５７は仮想線で示している。図８の上段においても同様である。
初期状態ではベース４１の円盤部４２とストッパ２０とは離間している。
円盤部４２に対向するストッパ２０の下端縁は軸線Ｓに対して垂直に設定してある。
【００３２】
なお、図１において、ムービングブロック６０と可動接点盤４０については、軸線Ｓから左半部に軸線Ｓを通る断面を示し、右半部に可動接点板５０の脚部５２を通る断面を示している。後掲の図８の下段においても同様である。
図１に示すように、可動接点盤４０の舌片５３がその先端を通電板３５の舌片接触部３７の下平行部３７ａに接触させて、これにより可動接点５５とコネクタ端子３６を電気的に接続している。舌片５３は、可動接点盤４０の移動の間、常時舌片接触部３７に接触して、この電気的接続を保持する。
初期状態において、下方位置にある可動接点盤４０の可動接点５５は接点収容室Ｒｓの上端に位置する固定接点３３から離間している。
また、第２コイルスプリング８の上端の着座面（スプリング受け）は可動接点盤４０の傾斜により傾いているので、第２コイルスプリング８の付勢力には可動接点盤４０を回転させようとする成分を含んでいる。
【００３３】
つぎに、以上の構成になるプッシュスイッチ１の作動について説明する。
まず、図１の初期状態において、プッシュロッド２は、押し込まれて操作部３の先端が筒部１３の先端と面一になっているが、第１コイルスプリング７と第２コイルスプリング８によりムービングブロック６０とさらに可動接点盤４０を介して、筒部１３から突出方向に付勢されている。したがって、プッシュロッド２を押し込んでいたブレーキペダル側部材がブレーキペダル踏み込みにより押し込み方向と逆方向に変位すると、これに追随して操作部３の先端（上端）がケーシング２の筒部１３先端から突出するとともに、つば部４の突部５が上方に退避する。
図６に示したように、可動接点盤４０は第２コイルスプリング８の付勢力により突出軸部６６の張り出し部７０、７１に円盤部４２を当接させた傾斜状態で、ムービングブロック６０と一体となって、ムービングブロック６０の上面を突部５に押し付けたまま上方に移動する。ムービングブロック６０の上面を突部５に押し付ける力には第１コイルスプリング７の付勢力も加わっている。
【００３４】
図８の（Ａ）は、プッシュロッド２の操作部３が筒部１３から長さＸ１だけ突出し、可動接点盤４０とムービングブロック６０が追随し上昇して、可動接点盤４０の可動接点５５が固定接点３３に接触した瞬間の状態を示す。
なお、図８において上段は図７と同様にベース４１とストッパ２０との関係を示し、下段は可動接点盤４０およびムービングブロック６０の動きを示す。
可動接点５５と固定接点３３の接触により、舌片接触部３７、舌片５３、可動接点５５および固定接点３３を介してコネクタ端子３６、３２間が導通開始してプッシュスイッチ１はＯＮとなる。
可動接点盤４０はまだ傾斜状態である。舌片５３は通電板３５の舌片接触部３７上をスライドして、その先端が下平行部３７ａから傾斜部３７ｂ（図１参照）への移行点に移動している。
【００３５】
また、ストッパ２０はこの位置で先端の角が可動接点盤４０のベース４１（円盤部４２）の外周上面４６に当接するように、その所定長さを設定してある。ストッパ２０が当接する部位は、ベース４１の外周に沿ってムービングブロック６０の両張り出し部７０、７１に当接している部位間の中間となる。
そして可動接点５５を支持する可動接点板５０の脚部５２は押さえ部材５７のアーム部５９から離れることになる。
【００３６】
プッシュロッド２がさらに突出して操作部３の突出長さがＸ２になると、ムービングブロック６０は第１コイルスプリング７でプッシュロッド２に追随して上昇する。
そして、図８の（Ｂ）に示すように、ベース４１におけるストッパ２０の角に当接していた部位はストッパ２０で止められたまま、ムービングブロック６０の上昇にしたがって、可動接点盤４０は第２コイルスプリング８の付勢力、とくに回転させようとする成分により、ベース４１（円盤部４２）における下端面が低い張り出し部７０に押し下げられていた側が上がるように回転する。図８の（Ｂ）では、可動接点盤４０のベース４１が軸線Ｓに対して垂直になるまで回転し、ストッパ２０の下端全縁と当接した状態を示している。
この際、可動接点盤４０から延びる舌片５３の先端は舌片接触部３７の傾斜部３７ｂを外方へ滑るので、舌片５３による突っ張りが可動接点盤４０の回転に影響を与えないようになっている。
【００３７】
固定接点３３に接触している可動接点５５は、この回転により固定接点３３に対して摺動変位する。この変位量は従来のばね部材に設けた可動接点が固定接点に接触したあとばね部材の単純な撓みのみにより生じる変位量より大きい。
さらに、可動接点板５０の脚部５２はアーム部５９によってあらかじめ初期撓みを与えて所定の反力をもたせてあるので、可動接点５５と固定接点３３間には接触と同時に上記反力に対応する初期圧から開始する高い接圧が生じる。
【００３８】
以上のように、可動接点５５と固定接点３３が接触したまま大きく相対的に摺動変位すること、および可動接点５５と固定接点３３間の接圧が高いことにより、両接点３３、５５間に格段のワイピングが作用するので、両接点の接触面に生じ得る炭化物などの異物が有効に除去される。また、可動接点５５と固定接点３３との接触時に接圧が高いことにより、接点接触時のふらつきがなくアークの発生を抑制できる。
【００３９】
図８の（Ｃ）は、プッシュロッド２が、そのつば部４が第１穴１７と第２穴１８の段差部に当接するまで上昇して、操作部３の筒部１３からの突出長さがＸ３になった状態を示す。
ムービングブロック６０は第１コイルスプリング７で付勢されているので、プッシュロッド２に押し付けられたまま上昇し、とくに上段に示されるように、張り出し部７０がベース４１から離間する。一方、可動接点盤４０はそのベース４１がストッパ２０に当接して軸線Ｓに対して垂直になった後は上昇を規制される。
すなわち、ムービングブロック６０の張り出し部７０が可動接点盤４０から離間するだけで、可動接点盤４０の可動接点５５とケーシング１０側の固定接点３３との接触状態は（Ｂ）の状態と同一に保持される。
【００４０】
なお、図８の（Ａ）において、ベース４１がストッパ２０に当接するのは厳密に可動接点５５が固定接点３３に接触する瞬間の位置である必要はなく、当該瞬間位置を含む所定範囲の位置で当接するように設定すればよい。
可動接点５５が固定接点３３に接触する瞬間より前にベース４１がストッパ２０に当接すれば、可動接点盤４０が先に回転を始めるので、可動接点５５は摺動方向の変位途中で固定接点３３に接触し、接触してからの摺動距離は比較的に短くなる一方、可動接点５５が固定接点３３に接触した瞬間より後にベース４１がストッパ２０に当接すれば、接触より遅く摺動が開始するので、ムービングブロック６０の退避距離が短いと比較的短い摺動距離で終わることになるから、これらの関係を勘案して、所望の摺動距離が得られるように、所定範囲で設定すればよい。
【００４１】
ブレーキ解除でプッシュロッド２が押し込まれるときは上述の過程が逆方向に進み、図８の（Ｂ）から（Ａ）に戻る際に可動接点５５と固定接点３３の間に再度大きなワイピングが作用する。そして、（Ａ）の状態を過ぎて可動接点５５と固定接点３３が離間するとプッシュスイッチ１はＯＦＦとなって、最後に図１の初期状態に戻る。
【００４２】
本実施の形態では、第２スプリング８が発明における付勢手段に該当し、ムービングブロック６０における張り出し部７０、７１の傾斜した下端面が傾斜手段に該当する。
また、ストッパ２０の可動接点盤４０におけるムービングブロック６０との対向面に当接し軸線Ｓに対して垂直に延びる端縁が、姿勢変化手段も構成している。
【００４３】
実施の形態のプッシュスイッチは以上のように構成され、可動接点５５を備えてプッシュロッド２の軸線Ｓに沿ってストロークする可動接点盤４０と、軸線Ｓ上においてストロークし可動接点盤４０と当接可能なムービングブロック６０と、可動接点盤４０とムービングブロック６０を互いに当接する方向に付勢する第２スプリング８と、可動接点４０が固定接点３３と接触する所定位置で可動接点盤４０のストロークを阻止するストッパ２０とを有し、ムービングブロック６０には、可動接点盤４０との当接状態において可動接点盤４０を軸線Ｓに関して傾斜状態に保持するように対向部に傾斜面を有する張り出し部７０、７１が設けられるとともに、ストッパ２０の可動接点盤４０と当接する端縁を軸線Ｓに対して垂直に延ばして、ストッパ２０によりストロークを阻止されたあとの可動接点盤４０が、ムービングブロック６０のストロークによる離間に応じて傾斜状態から軸線Ｓに対して垂直方向に姿勢変化させるものとしたので、固定接点３３と可動接点５５が接触している期間中において相互の摺動変位がとくに大きく、格段のワイピング作用が得られる。
【００４４】
この際、ストロークを阻止されたあとの可動接点盤４０の傾斜状態からの姿勢変化は、ストッパ２０の端縁の延び方向に可動接点盤４０が倣うだけの構成であるから、別途の追加部材などを要しない。
また、プッシュロッド２をムービングブロック６０に当接させ、第１スプリング７でプッシュロッド２にムービングブロック６０を押し付けるので、プッシュロッド２を伸縮（ケーシングから突出、押し込み）方向に操作することでこれに追従して可動接点盤４０とムービングブロック６０をストロークさせることができる。
【００４５】
とくに、プッシュロッド２と、ムービングブロック６０と、可動接点盤４０とが当該順番で軸線Ｓ方向に並び、第１スプリング７と第２スプリング８とがムービングブロック６０と可動接点盤４０とを同方向に付勢しているので、プッシュロッドを押し込んで第１スプリング７の圧縮状態で固定接点３３と可動接点５５を離間させておくことにより、車両用ブレーキスイッチに好適な押し込み解除によりプッシュロッドを突出させてＯＮするタイプを実現している。
【００４６】
可動接点５５、固定接点３３およびストッパ２０が、それぞれ軸線Ｓを挟んで両側に配置してあるので、多重化による高い信頼性と、固定接点３３と可動接点５５が複数でも常に均等で安定した接触とワイピングが確保される。
【００４７】
可動接点盤４０は、ムービングブロック６０との当接面を有するベース４１と、ベース４１に取り付けられて固定接点３３に対応する方向に延びる弾性金属製の可動接点板５０を有して、可動接点板５０に可動接点５５を設けてあるので、固定接点３３と可動接点５５間に可動接点板５０の弾性による接圧を与えることができる。
とくに、可動接点盤４０はさらに押さえ部材５７を有して、可動接点板５０（脚部５２）に初期撓みを与えるので、可動接点５５と固定接点３３間には接触と同時に初期撓みに基づく初期圧から開始する高い接圧が生じ、両接点３３、５５間に格段のワイピングが作用する。また、両接点３３、５５間の接触時にふらつきがなくアークの発生を抑制できる。
【００４８】
なお、実施の形態では、ストッパ２０をベース４１における円盤部４２の外周に沿って張り出し部７０、７１に当接する部位間の中間に当接させるようにし、可動接点５５が固定接点３３に接触したあとの可動接点盤４０の姿勢変化（回転）を実現するため、ストッパ２０の端縁にベース４１を倣わせるようにしたが、姿勢変化の手段としてはこれに限定されない。
例えば軸心を挟んで、ベース４１の張り出し部７０に当接する部位側の端部に当接するように配置した第１のストッパと、張り出し部７１に当接する部位側の端部に当接するように配置した第２のストッパとに分けて設けてもよい。
あるいはまた、傾斜手段としての張り出し部７０、７１についても、ムービングブロックではなく、可動接点盤４０側に同様のものを設けてもよい。
さらに、姿勢変化の角度についても、ストッパの端縁を軸線Ｓに対して垂直に延ばすことにより可動接点盤４０を垂直姿勢にするものとしたが、所望の摺動変位が得られれば、垂直でなくても傾斜手段による可動接点盤４０の傾斜とは異なる角度に変化させれば十分である。
【００４９】
また、実施の形態はプッシュロッド２を突出させることによりＯＮするタイプについて説明したが、本発明はこれに限定されず、プッシュロッド２を押し込むことによりＯＮするタイプについても適用可能である。
この場合、ムービングブロック、可動接点盤および第２コイルスプリングの配置を図１において上下反転するが、第１コイルスプリングはムービングブロックを上向きに付勢するように、実施の形態と同配置にすればよい。なお、プッシュロッドは可動接点盤（ベース）の貫通孔を通してムービングブロックに当接させることができる。
【００５０】
なお、実施の形態は、ブレーキペダルに適用されるものとして説明したが、本発明はこれに限定されず、種々の分野におけるスイッチに適用可能である。
また、プッシュスイッチを操作する操作部材としてムービングブロック６０に当接させたプッシュロッド２を備えるものとしたが、ムービングブロック自体にケーシングから突出する操作部を形成することにより、プッシュロッドを省くこともできる。
その他、各部材の形状、サイズ等は図示のものに限定されず、設置場所や使用態様等に応じて、本発明の作用効果を奏する範囲で任意に設定される。
【符号の説明】
【００５１】
１    プッシュスイッチ
２    プッシュロッド
３    操作部
４    つば部４
５    突部
７    第１コイルスプリング
８    第２コイルスプリング
１０    ケーシング
１１    第１ケース
１２    嵌め合い部
１３    筒部
１４    上壁
１５ａ、１５ｂ    側壁
１６    係合穴
１７    第１穴
１８    第２穴
２０    ストッパ
２１    段部
２４    第２ケース
２５ａ、２５ｂ、２５ｃ    側壁
２６    底壁
２７    スプリング受け
２８    スプリング受け
２９    凹部
３０    爪
３１    固定接点板
３２、３６    コネクタ端子
３３    固定接点
３５    通電板
３７    舌片接触部
３７ａ    下平行部
３７ｂ    傾斜部
３７ｃ    上平行部
４０    可動接点盤
４１    ベース
４２    円盤部
４３    可動接点板支持部
４４    貫通穴
４５    筒部
４６    外周上面
４７    丸突起
４８    リベット
５０    可動接点板
５１    基部
５２    脚部
５３    舌片
５５    可動接点
５６    丸穴
５７    押さえ部材
５８    取付け基部
５９    アーム部
６０    ムービングブロック
６１    接点盤連係部
６２    ガイド部
６３    レール
６５    ブロックベース
６６    突出軸部
６７    円筒面
６８    平面部
６９    スプリング受け
７０、７１    張り出し部
Ｒｓ    接点収容室
Ｒｒ    レセプト凹部
【図１】
0005802078.tif 000002
【図２】
0005802078.tif 000003
【図３】
0005802078.tif 000004
【図４】
0005802078.tif 000005
【図５】
0005802078.tif 000006
【図６】
0005802078.tif 000007
【図７】
0005802078.tif 000008
【図８】
0005802078.tif 000009